(57)【要約】【課題】  発光手段を収納しうると共に、膜構造体の表面部において発光させることができる膜構造体を提供する。【解決手段】  一対の合成樹脂製シート１１ａ、１１ｂから構成され、一対の合成樹脂製シート１１ａ、１１ｂを重ね合わせると共に、一対の合成樹脂製シート１１ａ、１１ｂの外周縁部１２、１２を接合して形成されるバルーン部１３を有し、バルーン部１３の内部に導入した気体により所定の形状に膨張しうる膜構造体１０において、バルーン部１３の外周縁部１２には、一対の合成樹脂製シート１１ａ、１１ｂに加えて更に他の合成樹脂製シート１５が接合されることにより、発光素子１６を収納しうる収納部１７が形成されている。【選択図】  図１
0003196625.tif 000002
【実用新案登録請求の範囲】
【請求項１】
一対の合成樹脂製シートから構成され、前記一対の合成樹脂製シートを重ね合わせると共に、前記一対の合成樹脂製シートの外周縁部を接合して形成されるバルーン部を有し、前記バルーン部の内部に導入した気体により所定の形状に膨張しうる膜構造体において、前記バルーン部の外周縁部には、前記一対の合成樹脂製シートに加えて更に他の合成樹脂製シートが接合されることにより、発光素子を収納しうる収納部が形成されていることを特徴とする膜構造体。
【請求項２】
前記バルーン部には、空気注入部が設けられ、前記空気注入部から空気が注入されて膨張した場合には、所定の厚さ寸法を有するハート形状を形成することを特徴とする請求項１記載の膜構造体。
【請求項３】
前記他の合成樹脂製シートは厚さ方向一方側の前記合成樹脂製シートに接合され、前記他の合成樹脂製シートには、前記発光素子の導線を外方へ取り出しうる開口部が形成されていることを特徴とする請求項１記載の膜構造体。
【請求項４】
前記合成樹脂製シートは、気密性を有する透明な合成樹脂製シートであることを特徴とする請求項１記載の膜構造体。
【請求項５】
前記発光素子は、薄板状に形成されたＬＥＤであることを特徴とする請求項１記載の膜構造体。
【考案の詳細な説明】
【技術分野】
【０００１】
本考案は、膜構造体に係り、特に発光手段を有する膜構造体に関するものである。
【背景技術】
【０００２】
現在、内部に導入した気体により膨張して所定の形状を形成しうる膜構造体は様々な使用態様がなされているが、一例として、合成樹脂シートで構成された風船につき、本考案の背景技術について説明する。
従来より、風船は玩具のほか、販促、イベント等に広く用いられている。特に、発光手段を有する発光風船は、夜間におけるコンサートやテーマパーク等での使用において、優れた装飾効果を有することから、需要が高まっている。
【０００３】
このような発光風船として、例えば、特許文献１には、底部側の一部に透明部を設けた下部合成樹脂材と、光反射性及び光透過性を有する上部合成樹脂材との周縁を重ね合わせて熱溶着又は接着し、内部にガスが注入されて立体的に膨らむ風船本体と、この風船本体の底部に対して、前記下部合成樹脂材の透明部の外側位置に臨ませる発光源を保持する状態で取り付けた発光源保持体と、を有し、前記発光源から前記風船本体の透明部を経て上部合成樹脂材に光を照射してその乱反射光と透過光とにより風船本体を発光状態とすることを特徴とする発光風船が開示されている。
【０００４】
また、特許文献２には、２枚の合成樹脂フィルムを重ね合わせて周縁部を熱溶着又は接着して形成され、内部にガスが注入されて膨らむ本体部と、透明な合成樹脂フィルムからなり両端部が封止された筒状体であって、一端部又は両端部が前記２枚の合成樹脂フィルムの周縁部に挟着されて、前記本体部の内部に取り付けられた発光体保持袋と、前記発光体保持袋の内部に装入された発光体とを備え、前記発光体保持袋の取付位置を決定することにより、前記本体部の内部の任意位置に発光体を配置できるようにしたことを特徴とする発光風船が開示されている。
【０００５】
また、特許文献３には、孔部が設けられた風船本体と、開口部が設けられた袋体とを備え、風船本体の孔部の周縁部と袋体の開口部の周縁部とを接合し、風船本体の内側に袋体が配置された二重構造を有する、風船本体と袋体との間にガスを注入し得る風船体と、前記袋体の内部に配置された複数の発光ダイオードとを有し、前記袋体は、前記風船本体の内部空間において前記開口部から広がるようにして形成されており、前記複数の発光ダイオードは、前記袋体の内部に前記開口部の長径よりも大きく広がって配置されていることを特徴とする発光風船が開示されている。
【０００６】
また、特許文献４には、２箇所に気体流入口と気体流出口を設けた中袋をバルーン本体の内部に、その気体流入口がバルーン本体の外部に開口して、気体流出口がバルーン本体の内部に開口するように取り付けるとともに、その中袋にバルーン本体の内部への気体の流入を可能となし、かつ、バルーン本体の内部から外部への気体の流出を阻止する逆止弁を設けて、その中袋の内部に発光体や発音体等のアクション装置を収容可能としたことを特徴とするバルーン玩具である。
【０００７】
しかしながら、特許文献１に記載の発光風船にあっては、発光源保持体は固定されており、風船本体を任意の向きで載せることができるという構成であるため、風船を自由に持ち運ぶことができないという不具合があった。また、前記発光源保持体がたとえ小さくなったとしても、風船に対して発光源が露出しているという不具合は解消されない。
また、特許文献２〜４に記載の発光風船にあっては、発光体が風船内部に配置されているので、複数色の発光ダイオードを発光させた場合に重ね合わさった色としてしか発光させることができず、風船表面の部分ごとに色を変化させるようなことはできないという不具合があった。
【０００８】
以上のような従来からの不具合は、発光手段を有する風船を例に説明したが、内部に導入した気体により膨張して所定の形状を形成しうる膜構造体に共通する課題であり、解決が待たれていた。
【特許文献１】特開２０１１−２４９４９号公報
【特許文献２】特開２００８−１２５７１８号公報
【特許文献３】特開２００７−２５０８０号公報
【特許文献４】特開２００３−２３６２５６号公報
【考案の開示】
【考案が解決しようとする課題】
【０００９】
本考案は、以上のような従来からの不具合を解決するためのものであって、その課題は、発光手段を収納しうると共に、膜構造体の表面部において発光させることができる膜構造体を提供することにある。
【課題を解決するための手段】
【００１０】
前記課題を解決するために、請求項１に記載の考案にあっては、一対の合成樹脂製シートから構成され、前記一対の合成樹脂製シートを重ね合わせると共に、前記一対の合成樹脂製シートの外周縁部を接合して形成されるバルーン部を有し、前記バルーン部の内部に導入した気体により所定の形状に膨張しうる膜構造体において、前記バルーン部の外周縁部には、前記一対の合成樹脂製シートに加えて更に他の合成樹脂製シートが接合されることにより、発光素子を収納しうる収納部が形成されていることを特徴とする。
【００１１】
従って、前記膜構造体が内部に導入した気体により所定の形状に膨張した状態において、前記膜構造体の表面部に発光素子を収納することができる。
【００１２】
請求項２に記載の考案にあっては、前記バルーン部には、空気注入部が設けられ、前記空気注入部から空気が注入されて膨張した場合には、所定の厚さ寸法を有するハート形状を形成することを特徴とする。
【００１３】
従って、前記バルーン部は、前記空気注入部から空気が注入されて膨張すると、所定の厚さ寸法を有するハート形状を形成する。
【００１４】
請求項３に記載の考案にあっては、前記他の合成樹脂製シートは厚さ方向一方側の前記合成樹脂製シートに接合され、前記他の合成樹脂製シートには、前記発光素子の導線を外方へ取り出しうる開口部が形成されていることを特徴とする。
【００１５】
従って、前記収納部に収納された前記発光素子の導線を外方へ取り出すことができる。
【００１６】
請求項４に記載の考案にあっては、前記合成樹脂製シートは、気密性を有する透明な合成樹脂製シートであることを特徴とする。
【００１７】
従って、前記収納部を含む前記膜構造体は気密性を有する透明な合成樹脂シートで形成することができる。
【００１８】
請求項５に記載の考案にあっては、前記発光素子は、薄板状に形成されたＬＥＤであることを特徴とする。
【００１９】
従って、前記膜構造体は薄板状に形成されたＬＥＤによって発光させることができる。
【考案の効果】
【００２０】
請求項１に記載の膜構造体にあっては、前記膜構造体が内部に導入した気体により所定の形状に膨張した状態において、前記膜構造体の表面部に発光素子を収納することができるので、発光手段を収納しうると共に、前記膜構造体の表面部において発光させることができる膜構造体を提供することができる。
【００２１】
請求項２に記載の膜構造体にあっては、前記バルーン部は、前記空気注入部から空気が注入されて膨張すると、所定の厚さ寸法を有するハート形状を形成するので、ハート形状に膨張した前記バルーン部の表面部を発光させることができる膜構造体を提供することができる。
【００２２】
請求項３に記載の膜構造体にあっては、前記収納部に収納された前記発光素子の導線を外方へ取り出すことができるので、前記膜構造体が内部に導入した気体により所定の形状に膨張した状態において前記発光素子に電源を供給することができる。
【００２３】
請求項４に記載の膜構造体にあっては、前記収納部を含む前記膜構造体は気密性を有する透明な合成樹脂シートで形成することができるので、前記膜構造体は高い気密性を有すると共に、前記収納部が透明であるため、前記膜構造体の表面部を効率よく発光させることができる。
【００２４】
請求項５に記載の膜構造体にあっては、前記膜構造体は薄板状に形成されたＬＥＤによって発光させることができるので、消費電力及び発熱量を抑えて発光させることができると共に、前記膜構造体を構成する合成樹脂製シートが変形するといった事態を防止することができる。
【図面の簡単な説明】
【００２５】
【図１】本考案に係る膜構造体の一実施の形態を示す斜視図である。
【図２】本考案に係る膜構造体の一実施の形態において、図１のII−II線相当断面図である。
【考案を実施するための最良の形態】
【００２６】
以下、添付図面に示す実施の形態に基づき、本考案を詳細に説明する。
図１及び図２に示すように、本考案の一実施の形態に係る膜構造体１０は、一対の合成樹脂製シート１１ａ、１１ｂから構成され、一対の合成樹脂製シート１１ａ、１１ｂを重ね合わせると共に、一対の合成樹脂製シート１１ａ、１１ｂの外周縁部１２、１２を接合して形成されるバルーン部１３を有し、バルーン部１３の内部に導入した気体により所定の形状に膨張するように構成されている。
また、図１及び図２に示すように、バルーン部１３の外周縁部１２には、一対の合成樹脂製シート１１ａ、１１ｂに加えて更に他の合成樹脂製シート１５が接合されることにより、発光素子１６を収納しうる収納部１７が形成されている。
【００２７】
また、バルーン部１３には空気注入部１４が設けられ、空気注入部１４から空気が注入されて膨張した場合には、所定の厚さ寸法を有するハート形状を形成するように構成されている。
また、他の合成樹脂製シート１５は厚さ方向一方側の合成樹脂製シート１１ａに接合され、他の合成樹脂製シート１５には、発光素子１６の導線１８を外方へ取り出しうる開口部１９が形成されている。
【００２８】
また、本考案の実施の形態において、合成樹脂製シート１１ａ、１１ｂ、１５は、気密性を有する透明な合成樹脂製シートであり、また、発光素子１６は、薄板状に形成されたＬＥＤ２０である。
【００２９】
本実施の形態に係る膜構造体１０の構成について、添付図面を用いてより詳細に説明する。
図１に示すように、発光素子１６は、基板２１と、ＬＥＤ２０と、導線１８と、電源供給部（図示せず）とにより構成されている。基板２１は、バルーン部１３の外形寸法と略同一の寸法に形成され、収納部１７に収納されている。導線１８は、収納部１７に形成された開口部１９から外方に取り出され、電源供給部（図示せず）に接続されている。
また、図１に示すように、ＬＥＤ２０は、基板２１の外周端から所定間隔内方へ離間して、基板２１上に配置固定されている。
【００３０】
本実施の形態に係る膜構造体１０の作用について、添付図面を用いて説明する。
図１に示すように、本実施の形態に係る膜構造体１０を使用する場合には、空気注入部１４より空気等の気体を導入しバルーン部１３を膨張させ、平面ハート形状に形成させる。続いて、スイッチ（図示せず）を入れると、電源供給部（図示せず）から導線１８を介して基板２１へと電源が供給され、バルーン部１３の収納部１７に収納されたＬＥＤ２０を発光させることができる。
【００３１】
この際、図２に示すように、収納部１７は、透明な合成樹脂シート１５によりバルーン部１３の表面部に形成されているので、本実施の形態に係る膜構造体１０は、発光手段を収納しうると共に、膜構造体１０の表面部において効率よく発光させることができる。
特に、本実施の形態において、複数色のＬＥＤを採用して発光させた場合にあっては、膜構造体１０の表面を部分ごとに色を変化させるようなことも可能となるので、夜間におけるコンサートやテーマパーク等での使用において、優れた装飾効果を有する。
【００３２】
また、本実施の形態に係る膜構造体１０にあっては、膜構造体１０はＬＥＤ２０によって発光させることができるので、消費電力及び発熱量を抑えて発光させることができると共に、膜構造体１０を構成する合成樹脂製シート１１ａ、１１ｂ、１５が変形するといった事態を防止することができる。
【００３３】
また、図１に示すように、本実施の形態に係る膜構造体１０にあっては、収納部１７に収納された発光素子１６の導線１８を外方へ取り出すことができるので、膜構造体１０が内部に導入した気体により所定の形状に膨張した状態において注入した空気が外部へ漏れるおそれがなく、発光素子１６に電源を供給することができる。
【００３４】
本実施の形態に係る収納部１７は、発光素子１６の導線１８を外方へ取り出しうる開口部１９が形成されている場合を例に説明したが、前記構成に限定されず、例えば、発光素子１６の電源供給部に充電池を採用し、電源供給部が収納部１７に収納しうる場合には、開口部を設けない構成にすることもできる。収納部１７に開口部を設けない構成とした場合にあっては、膜構造体１０は防水仕様とすることができ、雨天時の使用が可能となる。
【００３５】
また、本実施の形態に係る合成樹脂製シート１１ａ、１１ｂ、１５は、気密性を有する透明な合成樹脂製シートである場合を例に説明したが、前記構成に限定されず、一定の気密性を有する種々の合成樹脂製シートで構成されていればよい。
例えば、合成樹脂製シート１１ａ、１１ｂを、アルミニウムが蒸着された合成樹脂製シートにより構成した場合にあっては、収納部１７を構成する合成樹脂製シート１５を、発光素子１６から発せられる光が透過できる素材で構成すればよい。
【００３６】
また、本実施の形態に係る発光素子１６は、薄板状に形成されたＬＥＤ２０で構成されている場合を例に説明したが、収納部１７に収納しうる厚さ寸法を有する発光素子で構成されていればよい。
【００３７】
本実施の形態に係るバルーン部１３は、ハート形状に形成されている場合を例に説明したが、前記構成に限定されず、星形等の他の形状であってもよい。
また、本実施の形態に係る膜構造体１０は、風船である場合を例に説明したが、前記実施の形態に限定されず、内部に導入した気体により膨張して所定の形状を形成しうる膜構造体であれば、例えば、玩具、雑貨等にも広く適用することができる。
【産業上の利用可能性】
【００３８】
本考案は、風船等の膜構造体に広く適用可能であり、産業上利用可能性を有している。
【符号の説明】
【００３９】
１０：膜構造体
１１ａ、１１ｂ、１５：合成樹脂製シート
１２：外周縁部
１３：バルーン部
１４：空気注入部
１６：発光素子
１７：収納部
１８：導線
１９：開口部
２０：ＬＥＤ
２１：基板
【図１】
0003196625.tif 000003
【図２】
0003196625.tif 000004